(57)【要約】      （修正有）【課題】安価な構成で、圧縮機を分解することなく組み合わせ軸受の複数の軸受に均等にグリースを補給する。【解決手段】旋回スクロール側組み合わせ軸受１０を保持する旋回スクロールハウジング部３ａと予圧付加用部材１１に、該組み合わせ軸受１０の両端面間のグリース流通路となるハウジング部側に軸方向溝１３と径方向溝１４及び予圧付加用部材側に溝１５を設けた。【選択図】図２
2015113787.tif 000002
【特許請求の範囲】
【請求項１】
渦巻状のラップ部が立設された固定スクロールと、
固定スクロールと対面する位置で旋回可能に設けられ前記固定スクロールのラップ部との間に複数の圧縮室を構成する渦巻状のラップ部が立設された旋回スクロールと、
前記旋回スクロールの自転を防止するクランク軸と、
該クランク軸を保持する組み合わせ軸受と、
該組み合わせ軸受を収めるハウジング部と、
該ハウジング部内の前記組み合わせ軸受への予圧を付加する予圧付加用部材とを有し、
前記ハウジング部に、ハウジング部軸方向のハウジング部軸方向溝と、前記組み合わせ軸受の径方向のハウジング部径方向溝を設け、
前記予圧付加用部材に径方向の予圧付加用部材溝を設け、
前記ハウジング部軸方向溝と前記ハウジング部径方向溝と前記予圧付加用部材溝が連通した構造であることを特徴とするスクロール式流体機械。
【請求項２】
請求項１に記載のスクロール式流体機械であって、
前記ハウジング部軸方向溝は、前記組み合わせ軸受の両端面位置をハウジング部軸方向に結ぶ溝であり、
前記ハウジング部径方向溝は、前記組み合わせ軸受の外輪の内外周位置を径方向に結ぶ溝であることを特徴とするスクロール式流体機械。
【請求項３】
請求項１または２の何れか1項に記載のスクロール式流体機械であって、
前記ハウジング部に、前記ハウジング部軸方向溝に対向した位置にグリース補給穴を設けたことを特徴とするスクロール式流体機械。
【請求項４】
請求項３に記載のスクロール式流体機械であって、
前記ハウジング部軸方向溝と前記ハウジング部径方向溝と前記予圧付加用部材溝と前記グリース補給穴をそれぞれ複数設けたことを特徴とするスクロール式流体機械。
【請求項５】
請求項４に記載のスクロール式流体機械であって、
前記ハウジング部に、さらに、前記複数のハウジング部軸方向溝を周方向に結ぶハウジング部周方向溝を設けたことを特徴とするスクロール式流体機械。
【請求項６】
請求項１から５の何れか1項に記載のスクロール式流体機械であって、
前記ハウジング部軸方向溝と前記ハウジング部径方向溝と前記予圧付加用部材溝、または前記ハウジング部周方向溝のうち、一部または全てを、前記ハウジング部または前記予圧付加用部材に代えて前記組み合わせ軸受上に設けたことを特徴とするスクロール式流体機械。
【発明の詳細な説明】
【技術分野】
【０００１】
本発明は、例えば圧縮機に用いて好適なスクロール式流体機械に関する。
【背景技術】
【０００２】
スクロール式流体機械の一つである空冷式オイルフリー圧縮機において、自転を防止するクランク機構は組合せ軸受により保持されており、これらの組合せ軸受は筒型のハウジングへ収められ、片側は予圧付加用の部材が押し付けられている。
【０００３】
これらの軸受は定期的なグリースの補給が要求されるが、スクロール圧縮機においては予圧付加用の部材を取り外すことは再組立に対する信頼性と作業性の観点から困難である。そこで該当部分を分解することなくグリースを補充する方法が必要となり、特に組み合わせ軸受においては複数の軸受に均等にグリースを補充する構造が必要である。
【０００４】
本技術分野の背景技術として、特許第４１０５８５０号公報（特許文献１）がある。この公報には、組み合わせ軸受の間にグリース補給用の部材（給油板）を設け、そこからグリースを補給する構造が開示されている。
【先行技術文献】
【特許文献】
【０００５】
【特許文献１】特許第４１０５８５０号公報
【発明の概要】
【発明が解決しようとする課題】
【０００６】
特許文献１においては、組み合わせ軸受の間にグリース補給用の部材（給油板）を設けているが、組み合わせ軸受を構成する個々の軸受は相互に高精度で構成する必要があるので、その間に追加される部材も、組み合わせ軸受と同程度の公差管理が必要である。また、このような構成の場合、組立が容易ではなく、信頼性の観点で実現性が低いという問題があった。
【課題を解決するための手段】
【０００７】
上記課題を解決するために、例えば特許請求の範囲に記載の構成を採用する。本願は上記課題を解決する手段を複数含んでいるが、その一例を挙げるならば、渦巻状のラップ部が立設された固定スクロールと、固定スクロールと対面する位置で旋回可能に設けられ前記固定スクロールのラップ部との間に複数の圧縮室を構成する渦巻状のラップ部が立設された旋回スクロールと、前記旋回スクロールの自転を防止するクランク軸と、該クランク軸を保持する組み合わせ軸受と、該組み合わせ軸受を収めるハウジング部と、該ハウジング部内の前記組み合わせ軸受への予圧を付加する予圧付加用部材とを有し、前記ハウジング部に、ハウジング部軸方向のハウジング部軸方向溝と、前記組み合わせ軸受の径方向のハウジング部径方向溝を設け、前記予圧付加用部材に径方向の予圧付加用部材溝を設け、前記ハウジング部軸方向溝と前記ハウジング部径方向溝と前記予圧付加用部材溝が連通する構造とした。
【発明の効果】
【０００８】
本発明によれば、安価な構成で、圧縮機を分解することなく組み合わせ軸受の複数の軸受に均等にグリースを補給することができる。
【図面の簡単な説明】
【０００９】
【図１】実施例１に係るスクロール圧縮機の全体構造を示す圧縮機断面図である。
【図２】実施例１に関連する部分の図１の拡大図である。
【図３】実施例１に関する主要部品の組み立て展開図をケーシング側斜めから見た図である。
【図４】実施例１に関する主要部品の組み立て展開図を旋回スクロール側斜めから見た図である。
【図５】実施例１におけるグリース補給経路を説明する図である。
【図６】実施例２におけるハウジング部と予圧付加用部材の構成を示した図である。
【図７】実施例３におけるハウジング部の構成を示した図である。
【図８】実施例４に関する主要部品の組み立て展開図を示した図である。
【発明を実施するための形態】
【００１０】
以下、本発明の実施例を図面を用いて説明する。
【実施例１】
【００１１】
本実施例は、組み合わせ軸受を保持するハウジングと予圧付加用部材に、組み合わせ軸受の両端面間のグリース流通路を設けたことを特徴とする。
【００１２】
図１は、本実施例に係るスクロール圧縮機の全体構造を示す圧縮機断面図である。図２は本実施例に関連する部分の図１の拡大図である。図１または図２において、旋回スクロール３はケーシング１に取り付けられた駆動軸保持軸受７、８により保持される駆動軸４によって旋回運動を行い、固定スクロール２との間に構成される圧縮室５を中心に向かうに従い縮小させることで圧縮を行う。この際ケーシング１に取り付けられたケーシング側組み合わせ軸受９と旋回スクロール３に取り付けられた旋回スクロール側組み合わせ軸受１０に保持されたクランク軸６は旋回スクロール３の自転を防止する。
【００１３】
旋回スクロール側組み合わせ軸受１０は旋回スクロール３の筒状の旋回スクロールハウジング部３ａに収められ、片側から旋回スクロール側組み合わせ軸受予圧付加用部材１１が押し付けられている。旋回スクロールハウジング部３ａには、旋回スクロール側組み合わせ軸受１０の両端面位置を軸方向に結ぶハウジング部軸方向溝１３、および旋回スクロール側組み合わせ軸受１０の径方向にハウジング部径方向溝１４が設けられている。また、旋回スクロール側組み合わせ軸受予圧付加用部材１１には、詳細説明は後述するが、円周方向でハウジング部軸方向溝１３と連通するように、組み合わせ軸受径方向に予圧付加用部材溝１５が設けられている。  
図３、図４に、本実施例に関する主要部品の組み立て展開図として、旋回スクロール３、旋回スクロールハウジング部３ａ、旋回スクロール側組み合わせ軸受１０、旋回スクロール側組み合わせ軸受予圧付加用部材１１とクランク軸６の組み立て展開図を示す。図３は、ケーシング側斜めから見た図であり、図４は旋回スクロール側斜めから見た図である。
【００１４】
図３に示すように、旋回スクロールハウジング部３ａには、上記した、ハウジング部軸方向溝１３およびハウジング部径方向溝１４が設けてある。ここで、ハウジング部径方向溝１４は、旋回スクロール側組み合わせ軸受１０を構成する外輪の内外周位置を径方向に結ぶ溝であり、ハウジング部軸方向溝１３と連通するように構成されている。
【００１５】
また、図４に示すように、旋回スクロール側組み合わせ軸受予圧付加用部材１１には、上記した、予圧付加用部材溝１５が設けてあり、組み立て後は、組み合わせ軸受の径方向にハウジング部軸方向溝１３と連通するように構成されている。
【００１６】
本実施例におけるスクロール圧縮機はまず旋回スクロール３にクランク軸６と旋回スクロール側組み合わせ軸受１０が旋回スクロール側組み合わせ軸受予圧付加用部材１１によって締結され、その後クランク軸６がケーシング１にあらかじめ取り付けられたケーシング側組み合わせ軸受９へ締結され、この際、旋回スクロールの軸方向位置の調整を行う。
【００１７】
図５に、本実施例によるグリース補給経路を説明する図を示す。図５に示すように、グリース補給穴１６から組み合わせ軸受１０へグリースを補充すると、グリースは前述のハウジング部軸方向溝１３、ハウジング部径方向溝１４および予圧付加用部材溝１５を経由して旋回スクロール側組み合わせ軸受１０の両端へ流れ込み、複数の軸受に対して均等にグリースを補充することが可能となる。従って、溝がなかった場合と比較して、前述の組立作業に関連する分解作業および再組立て作業を行うことなく旋回スクロール側組み合わせ軸受１０の複数の軸受に対して均等にグリースを補充することが可能となる。よって、信頼性とメンテナンス性を向上することができる。
【００１８】
なお、グリース補給穴１６は、グリースを補充するとき以外は、蓋または栓で覆うことが望ましい。それにより、異物の混入を防ぐことが可能となる。
【００１９】
また、グリース補給穴１６は、図５に示すように、本実施例では、ハウジング部軸方向溝１３に対向する穴としたが、これに限定されるものではなく、例えば、ハウジング部径方向溝１４に対向する穴でも良く、ハウジング部軸方向溝１３とハウジング部径方向溝１４と予圧付加用部材溝１５にグリースが流れ込む構造であれば良い。
【００２０】
また、以上の実施例は、旋回スクロール側組み合わせ軸受１０側の旋回スクロール３の旋回スクロールハウジング部３ａと旋回スクロール側組み合わせ軸受予圧付加用部材１１について説明したが、同様の構造を、ケーシング側組み合わせ軸受９側のケーシング１のハウジング部１ａとケーシング側組み合わせ軸受予圧付加用部材１２へ設けることで、ケーシング１へ保持されるケーシング側組み合わせ軸受９へのグリース補充の際にも同様の効果を得ることができる。
【００２１】
以上説明したように、本実施例は、渦巻状のラップ部が立設された固定スクロールと、固定スクロールと対面する位置で旋回可能に設けられ前記固定スクロールのラップ部との間に複数の圧縮室を構成する渦巻状のラップ部が立設された旋回スクロールと、前記旋回スクロールの自転を防止するクランク軸と、該クランク軸を保持する組み合わせ軸受と、該組み合わせ軸受を収めるハウジング部と、該ハウジング部内の前記組み合わせ軸受への予圧を付加する予圧付加用部材とを有し、前記ハウジング部に、ハウジング部軸方向のハウジング部軸方向溝と、前記組み合わせ軸受の径方向のハウジング部径方向溝を設け、前記予圧付加用部材に径方向の予圧付加用部材溝を設け、前記ハウジング部軸方向溝と前記ハウジング部径方向溝と前記予圧付加用部材溝が連通した構造とした。また、前記ハウジング部軸方向溝は、前記組み合わせ軸受の両端面位置をハウジング部軸方向に結ぶ溝であり、前記ハウジング部径方向溝は、前記組み合わせ軸受の外輪の内外周位置を径方向に結ぶ溝である構造とした。これにより、圧縮機を分解することなく、簡単で安価な構成で、組み合わせ軸受の複数の軸受に均等にグリースを補給することができ、信頼性とメンテナンス性を向上することができる。
【実施例２】
【００２２】
本実施例は、実施例１と同様のスクロール圧縮機において、前述のハウジング部軸方向溝１３、ハウジング部径方向溝１４、予圧付加用部材溝１５およびグリース補給穴１６を複数設けたことを特徴とする。
【００２３】
図６は、本実施例におけるハウジング部と予圧付加用部材の構成を示した図である。図６において、左図は旋回スクロールハウジング部３ａを示すが、旋回スクロールハウジング部３ａは、旋回スクロール側組み合わせ軸受１０の両端面位置を軸方向に結ぶハウジング部軸方向溝１３および旋回スクロール側組み合わせ軸受１０の径方向のハウジング部径方向溝１４、さらにグリース補給穴１６を複数設けている。また、右図は旋回スクロール側組み合わせ軸受予圧付加用部材１１を示すが、軸受径方向の予圧付加用部材溝１５を複数設けている。
【００２４】
これにより、グリース補給作業状況に応じてもっとも作業が容易となるグリース補給穴からグリース補給作業を行うことができる。
【００２５】
なお、以上の説明は、旋回スクロール側組み合わせ軸受１０側の旋回スクロール３の旋回スクロールハウジング部３ａと旋回スクロール側組み合わせ軸受予圧付加用部材１１について説明したが、ケーシング側組み合わせ軸受９側のケーシング１のハウジング部１ａとケーシング側組み合わせ軸受予圧付加用部材１２へ同様の構成を設けることで、ケーシング１へ保持されるケーシング側組み合わせ軸受９へのグリース補充の際にも同様の効果を得ることができる。
【実施例３】
【００２６】
本実施例は、実施例２と同様のスクロール圧縮機において、旋回スクロールハウジング部上に前述の複数のハウジング部軸方向溝１３を周方向に結ぶハウジング部周方向溝１７を設けたことを特徴とする。
【００２７】
図７は、本実施例におけるハウジング部の構成を示した図である。図７において、旋回スクロールハウジング部３ａには、旋回スクロール側組み合わせ軸受１０の両端面位置を軸方向に結ぶハウジング部軸方向溝１３を周方向に結ぶハウジング部周方向溝１７が設けられている。
【００２８】
これにより、ハウジング部軸方向溝１３とハウジング部径方向溝１４、さらに、組み立て後の旋回スクロール側組み合わせ軸受予圧付加用部材１１に設けた予圧付加用部材溝１５とハウジング部周方向溝１７が連通する構造となるので、グリース補給穴１６から流入したグリースはハウジング部軸方向溝１３、ハウジング部径方向溝１４、予圧付加用部材溝１５、ハウジング部周方向溝１７を経由して補給され、旋回スクロール側組み合わせ軸受１０の複数の軸受に対して均等にグリースを補充する効果をさらに高めることができる。
【００２９】
なお、以上の説明は、旋回スクロール側組み合わせ軸受１０側の旋回スクロール３の旋回スクロールハウジング部３ａと旋回スクロール側組み合わせ軸受予圧付加用部材１１について説明したが、ケーシング側組み合わせ軸受９側のケーシング１のハウジング部１ａとケーシング側組み合わせ軸受予圧付加用部材１２へ同様の構成を設けることで、ケーシング１へ保持されるケーシング側組み合わせ軸受９へのグリース補充の際にも同様の効果を得ることができる。
【実施例４】
【００３０】
本実施例は、実施例１と同様のスクロール圧縮機において、前述のハウジング部軸方向溝１３の代わりに、旋回スクロール側組み合わせ軸受１０の外周側に軸方向溝を設けたことを特徴とする。
【００３１】
図８は、本実施例に関する主要部品の組み立て展開図を示した図である。図８に示すように、旋回スクロール３、旋回スクロールハウジング部３ａ、旋回スクロール側組み合わせ軸受１０、旋回スクロール側組み合わせ軸受予圧付加用部材１１とクランク軸６の組み立て展開図において、旋回スクロール側組み合わせ軸受１０の両端面位置を軸方向に結ぶ溝として、前述のハウジング部軸方向溝１３の代わりに、旋回スクロール側組み合わせ軸受１０の外周側に組み合わせ軸受上軸方向溝１８を設けている。この際、旋回スクロールハウジング部３ａは旋回スクロール側組み合わせ軸受１０の両端面位置を軸方向に結ぶ溝を設ける必要がない。
【００３２】
これにより旋回スクロールハウジング部３ａに加工を行うことが不要となり、強度を保ったまま同様の効果を得ることができる。
【００３３】
また、実施例２や３と組み合わせて、前記ハウジング部径方向溝１４と前記予圧付加用部材溝１５、または前記ハウジング部周方向溝１７のうち、一部または全てを、前記旋回スクロールハウジング部３ａまたは前記旋回スクロール側組み合わせ軸受予圧付加用部材１１に代えて前記旋回スクロール側組み合わせ軸受１０上に設けることも可能である。これにより旋回スクロールハウジング部３ａまたは前記旋回スクロール側組み合わせ軸受予圧付加用部材１１の加工を減らすことが出来、さらには強度を保ったまま同様の効果を得ることができる。
【００３４】
また、以上の説明は、旋回スクロール側組み合わせ軸受１０側の旋回スクロール３の旋回スクロールハウジング部３ａと旋回スクロール側組み合わせ軸受予圧付加用部材１１について説明したが、ケーシング側組み合わせ軸受９側のケーシング１のハウジング部１ａとケーシング側組み合わせ軸受予圧付加用部材１２へ同様の構成を設けることで、ケーシング１へ保持されるケーシング側組み合わせ軸受９へのグリース補充の際にも同様の効果を得ることができる。
【００３５】
以上説明したように、本実施例は、ハウジング部軸方向溝とハウジング部径方向溝と予圧付加用部材溝、またはハウジング部周方向溝のうち、一部または全てを、ハウジング部または予圧付加用部材に代えて組み合わせ軸受上に設けることで、ハウジング部または予圧付加用部材の加工を減らすことが出来、さらには強度を保ったまま同様の効果を得ることができる。
【００３６】
また、本発明は上記した実施例に限定されるものではなく、様々な変形例が含まれる。上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加、削除、置換をすることも可能である。
【符号の説明】
【００３７】
１      ケーシング
１ａ    ケーシングハウジング部
２      固定スクロール
３      旋回スクロール    
３ａ    旋回スクロールハウジング部
４      駆動軸
５      圧縮室
６      クランク軸
７、８  駆動軸保持軸受
９      ケーシング側組み合わせ軸受
１０    旋回スクロール側組み合わせ軸受
１１    旋回スクロール側組み合わせ軸受予圧付加用部材
１２    ケーシング側組み合わせ軸受予圧付加用部材
１３    ハウジング部軸方向溝
１４    ハウジング部径方向溝
１５    予圧付加用部材溝
１６    グリース補給穴
１７    ハウジング部周方向溝
１８    組み合わせ軸受上軸方向溝
【図１】
2015113787.tif 000003
【図２】
2015113787.tif 000004
【図３】
2015113787.tif 000005
【図４】
2015113787.tif 000006
【図５】
2015113787.tif 000007
【図６】
2015113787.tif 000008
【図７】
2015113787.tif 000009
【図８】
2015113787.tif 000010